Podtech/llm-jp-corpus-v4-ja_patent huggingface dataset:
(57)【要約】      （修正有）【課題】従来のツイスト形編み込みケーブルで限界があった外部ノイズの軽減及び高周波の低減を計る。【解決手段】線心の編み込み方法に着目し、線心の編み込みをツイスト形よりツイストクロス編み込とする。その例として、４心タイプではケーブル１を２心使用して右巻きにツイストさせ、ツイストさせた２組を左巻きに合体させる。又、８心タイプでは上記４心左巻きを２組使用し、左巻きに合体させる。これら線心をケーブル外形の形状が丸形となるように一括被覆したことを特徴とするケーブル。【選択図】図１
2011100706.tif 000002
【特許請求の範囲】
【請求項１】
４本以上の線心を備え該各線心を互いに編み込んだことを特徴とするケーブル。
【請求項２】
線心を４本以上備え線心を互いに編み込みこれら線心をケーブル外形の形状が丸形となるように一括被覆したことを特徴とするケーブル。
【請求項３】
前記各線心の編み込みのピッチを前記線心の直径の４〜２０倍としたことを特徴とする請求項２に記載のケーブル。
【請求項４】
前期線心を編み込みし被覆するがケーブル内部に空間部が形成されるように被覆したことを特徴とする請求項１、２、３記載のケーブル。
【発明の詳細な説明】
【技術分野】
【０００１】本発明は音響機器、電子機器等に使用するケーブルで外部ノイズの軽減と高周波の低減効果の高いケーブル。
【背景技術】
【背景技術】
【０００２】ツイスト形での編み込みケーブルは他社より発表されているが外部ノイズの軽減と高周波の低減が思うように得られなかった。
【発明の開示】
【発明が解決しようとする課題】
【０００３】外部ノイズの軽減と高周波の低減をより高める為には従来のツイスト形編み込みケーブルでは限界であった。
【課題を解決するための手段】
【０００４】本発明は課題を解決するために線心の編み込み方法に着目し線心の編み込みをツイスト形よりクロス編み込みを特徴としているものです。
【発明の効果】
【０００５】従来でのツイスト形でのケーブルでは限界と思われる外部ノイズの軽減と高周波の低減を計ることができる。
【実施例】
【０００６】以下本発明の実施例を添付図面を参照して詳細に説明する。図１の４心タイプであるが２心を使用して右巻きにツイストさせるツイストさせた２組を左巻きに合体させるこれが４心タイプである。又８心タイプは４心左巻きを２組使用し左巻きに合体させる
これが８心タイプである。シールド方法は図３、図４の５、６の通りである。又図５において従来のツイスト編み込みケーブルとツイストクロス編み込みケーブルの比較データーを書き示しました通りの結果を得ることができました。
【図面の簡単な説明】
【０００７】
【図１】平面図  ケーブルの編み込み方法を示した図である。４心タイプと８心タイプの編み込み方法である。
【図２】断面図  ケーブルの断面から見た構造を示したものである。
【図３】断面図  シールドとＳＦチューブにより被覆した断面から見た構造を示した図である。
【図４】立体図  編み込み後シールドとＳＦチューブにて被覆したケーブルの立体構造を示したものである。４心タイプおよび８心タイプ共にシールドとＳＦチューブによる被覆方法は同じである。
【図５】データー比較図  従来技術のツイスト形編み込みと今回申請のツイストクロス編み込みとのデーターを比較する表である。調査使用測定器はＬＣＲ−７４０を使用している。
【図１】
2011100706.tif 000003
【図２】
2011100706.tif 000004
【図３】
2011100706.tif 000005
【図４】
2011100706.tif 000006
【図５】
2011100706.tif 000007
(57)【要約】      （修正有）【課題】現在、缶入り飲料の販売は、喫茶店における店内飲食を専らの目的として行われておらず、屋外（駐車場や公道）において公然と飲食をする行為が増加している。【解決手段】缶飲料喫茶店は、客が缶入り飲料を注文した場合、未開封の当該缶入り飲料と空のカップを客席まで運搬し、缶が未開封であることを客に証明するために客席の前で缶入り飲料の封を切り、カップに注いで客に提供する。【選択図】なし【特許請求の範囲】
【発明の詳細な説明】
【技術分野】
【０００１】本発明は、喫茶用店舗において喫茶用店舗利用者が注文した物品（缶入り飲料）を喫茶用店舗経営者または喫茶用店舗従業員が喫茶用店舗利用者に提供する際に付随させる、缶入り飲料を開封し喫茶店舗専用容器に移すサービスに関する。
【背景技術】
【０００２】喫茶店は、商業用店舗（以下「店舗」という）内において店舗利用者（以下「客」という）の店舗内における飲食を目的とする注文に応じ、店舗経営者または店舗従業員（以下「店員」という）が客に注文された飲食物を有料で提供する店舗である。【０００３】缶飲料喫茶店は店舗が提供する飲食物の一部に一般に販売されている缶入り飲料を含む店舗である。【０００４】缶飲料喫茶店は、客が缶入り飲料を注文した場合、未開封の当該缶入り飲料と空の店舗専用容器（以下「カップ」という）を客の使用している席（以下「客席」という）まで運搬し、缶が未開封であることを客に証明するために客席の前で缶入り飲料の封を切り、カップに注いで客に提供する。【０００５】カップに注ぎきれなかった飲料は缶に入れた状態のまま客に提供する。又、飲料をカップに注ぎ切った場合も缶は客に提供する。【０００６】運搬する際のカップには客の注文によっては特別に氷が入る場合がある。【０００７】提供した段階で缶自体は客の所有物であるので、空き缶は客が店舗に譲渡するか持ち帰るかを選択することが出来る。
【手続補正書】
【提出日】平成22年1月13日(2010.1.13)
【手続補正２】
【補正対象書類名】特許請求の範囲
【補正対象項目名】全文
【補正方法】変更
【補正の内容】
【特許請求の範囲】
【請求項１】
喫茶店において、店舗内での飲食を目的として、缶入り飲料をメニューの一部として記載し、店員が缶入り飲料を注文した客の前で当該缶入り飲料を開封してカップに注いでから提供する行為である
(57)【要約】      （修正有）【課題】眼鏡のブリッジをスライド形式により変動可能にした事により、自分の目の位置に合わせて、レンズ位置を調節可能な眼鏡を提供する。【解決手段】片方レンズの縁２に横長の穴の開いたブリッジ１を設け、対称の物も同様に作り、互いのブリッジ１を重ね合わせる。その重ねたブリッジ１の中心の横長の穴に、ネジ３を設置し、ネジ３を締める事により、重ねたブリッジの位置を固定することにより、レンズの縁２に加えて、レンズ位置も固定する。【選択図】図１
2011100087.tif 000002
【特許請求の範囲】
【請求項１】
左右のレンズを固定している縁（リム）をつなぐ、ブリッジをスライド形式にし、動かす事が出来るようにし、誰でもレンズ位置を調節可能した部分
【発明の詳細な説明】
【発明の詳細な説明】
この発明は、眼鏡のブリッジをスライド形式により変動可能にした事により、自分の目の位置に合わせて、レンズ位置を調節できるようにしたものである。
従来の眼鏡は、眼鏡の左右のレンズを固定している縁（リム）もしくは、レンズそのものをつないでいる、ブリッジ部分は常に固定されており、その幅を調節できるようにはなっていなかった。従って、自分の目の位置に合う眼鏡を探す事は容易ではなかった。
だが、顔の大きさは万人微妙に違い、左右の目の間隔も人によっていろいろである。そこで、自分に合うように、自由にレンズ幅を調節できる眼鏡フレームのフロントを発明。
その問題を解決する為に、左右のレンズを固定している縁（リム）をつなぐブリッジ部分を左レンズ用、右レンズ用それぞれに付け、また、そのブリッジに横長の穴を開けた。その横長の穴の開いたブリッジ二枚を重ね、互いをスライドさせることにより、ブリッジの幅を変動可能にし、中央のネジをしめることで、レンズの縁を好みの位置を固定できるようにした。そのことにより、もっとも自分の目に合った位置や、自分の好みの位置で、レンズの位置を調節できるよう発明したものである。
【図面の簡単な説明】
【図１】眼鏡の正面図
【図２】片方の眼鏡の正面図
【符号の説明】１…ブリッジ  ２…レンズの縁（リム）  ３…ネジ
【図１】
2011100087.tif 000003
【図２】
2011100087.tif 000004
(57)【要約】【課題】母音語である日本語を使用する日本人が、子音語である外国語の発音を学習する場合には多くの困難を伴う。  本発明は、着色文字、および、母音と１：１対応する平仮名・片仮名による発音表記法を提供する。【解決手段】（イ）ストレスを置く母音に発音の質感に対応する色を文字に付ける。（ロ）ストレスを置く基本的な母音を全角の平仮名か片仮名の１文字で表す。【選択図】図１
2011100086.tif 000002
【特許請求の範囲】
【請求項１】
発音時にストレスを置く母音に対応した文字を着色し、ストレスの位置と母音の種類を指示する方法。
【請求項２】
ストレスを置く母音に対応する発音記号に平仮名または片仮名の母音１文字を指定する方法。
【発明の詳細な説明】
【技術分野】
【０００１】  この発明は、外国語の発音方法を理解にするための、発音表記法に関するものである。
【背景技術】
【０００２】  従来、重要単語を一つの色で印刷した辞書や、ストレスを置く文字を太字で示した辞書・書籍は多い。また、平仮名と片仮名を併用した発音表記法も普及している。
なお、アルファベットを着色したイメージ音読方法が知られている。（特許文献１参照）。
【特許文献１】  特許公開２０００−１１２３２６
【発明の開示】
【発明が解決しようとする課題】
【０００３】  外国語の単語を印刷物で見てもストレスをどこに置くのか、どのような発音であるかは日本人には予想できない。また、平仮名や片仮名による発音表記法は、母音語である日本語の域を脱しておりず、多くの外国語である子音語に十分対応していない。
本発明は以上の問題点を解決するものである。
【課題を解決するための手段】
【０００４】  （ア）ストレスを置く文字や発音に注意を要する文字に、発音時の周波数（フォルマント）および唇や舌の形に由来する質感（クオリア）によって特有な色を付けると、ストレスの位置を知り、発音方法を推測できる。
（イ）日本語による発音表記法は、ストレスを置く基本的な母音の発音記号に対応する発音に平仮名・片仮名の全角１文字、特に日本語の発音と異なる母音には平仮名を割り当て、その他の母音や子音を半角の片仮名で示す。
【発明の効果】
【０００５】  （ア）ストレスを置く母音の位置が明確になり、日本語と異なる母音の発音方法であることを意識できる。
（ロ）母音語である日本語の平仮名・片仮名を使用して、子音語系である外国語の発音に近づけることができる。
【発明を実施するための最良の形態】
【０００６】  以下、本発明の実施の形態を説明する。
（イ）ストレスを置く母音は、例えば英語であると日本語の「ア」に類似する（８）・（９）を赤色系、同様に「イ」に類似する（１３）・（１４）を青色系、「ウ」に類似する（１）・（４）を紫色系、「エ」に類似する（１２）を緑色系、「オ」に類似する（２）・（３）・（５）を橙色系、弛緩語に属する（６）・（７）・（１０）を桃色、中間語の（１１）を赤紫色〜赤褐色で着色する。長音は２文字を同色で着色する（例えば「ｅａｔ」は「ｅとａ」を青色とする）。複母音は、それぞれの発音記号に対応する文字を色付けする。その他、必要に応じて唇歯音・歯音・歯茎音・口蓋音・サイレント音なども色付けする。
（ロ）ストレスを置く母音を基本母音は、（１）は「う−」、（２）は「お」、３は「オ」、（４）は「ウ」、（５）は「お−」、（８）は「あ」、（９）は「ア」、（１１）は「え」、（１２）は「エ−」、（１３）は「イ」、（１４）は「い−オ」のように、全角の平仮名あるいは片仮名の１文字で表し、その他の母音や子音を半角のカタカナで示すことによって、ストレスの位置と母音の発音方法を意識するようになる。また、誤読の恐れがあるシラバスの区切りに「・」を挿入することによって、より正確な発音が期待できる。
以上の２種類の発音表記法の１つまたは両方を併用することにより、子音語である多くの外国語の発音学習に効果を発揮することが期待できる。
【図面の簡単な説明】
【０００７】
【図１】本発明の平面図
【符号の説明】
【０００８】
2011100086.tif 000003
語表記（お）、（３）国際音標記号「ｏ」と日本語表記（オ）、（４）国際音標記
2011100086.tif 000004
標記号「ｅ」と日本語表記（エ）、（１３）国際音標記号「ｉ」と日本語表記（イ）、（１４）国際音標記号「ｉ：」と日本語表記（い−）。
【図１】
2011100086.tif 000005
(57)【要約】【課題】  線香立て灰の中から、燃え残りの線香を取り除き、空気の入った柔らかな灰にする線香掃除棒を提供する。【解決手段】  掃除棒本体の先端の周りに線香と略同径寸法の挟み棒を複数本取付け、燃え残り線香を挟むようにしたことを特徴とした仏具掃除棒。【選択図】図１
2011136120.tif 000002
【特許請求の範囲】
【請求項１】
掃除棒本体の先端の周りに線香と略同径寸法の挟み棒を複数本取付け、燃え残り線香を挟み棒で挟むようにしたことを特徴とした線香掃除棒。
【発明の詳細な説明】
【技術の分野】
【０００１】  本発明は、線香立ての灰の中から、燃え残りの線香を取り除き、空気の入った柔らかな灰にする線香掃除棒に関するものである。
【背景技術】
【０００２】  従来、線香立ての中の灰を掃除する時は、燃え残りの線香を、指か箸でつまみ出すか、茶漉しで灰を篩って分別し取り出すか、灰を別の容器に移し分別し取り出していた。
【発明の概要】
【発明が解決しようとする課題】
【０００３】  そのために、次のような問題点があった。
（イ）指でつまみ出す場合は、爪に灰が入る。
（ロ）箸でつまみ出す場合は、指先の動きが重要で高齢者には困難な作業である。
（ハ）茶漉しで灰を篩う場合は、線香立ての外に灰がこぼれ、その掃除が必要となる。
（ニ）灰を分別する容器の場合は、線香立てから移し替え、分別後に戻す手間がかかり、      値段も高く、保管場所も問題になる。
本発明は、これらの問題点を解決するためになされたものである。
【課題を解決するための手段】
【０００４】  掃除棒本体の先端の周りに線香と略同径寸法の挟み棒を複数本取付け、燃え残り線香を挟み棒で挟むようにした。以上を特徴とする仏具掃除棒である。
【発明の効果】
【０００５】  本発明は、複数の挟み棒を灰の中に突き刺すことで、燃え残り線香を簡単に挟み込んで取り除くことができる。燃え残り線香を全て取り除いた後は、灰に空気が混ざり、柔らかな灰になる。線香立ての回りに灰がこぼれる事はなく、手間が要らず便利である。
【図面の簡単な説明】
【０００６】
【図１】本発明の斜視図
【図２】本発明の燃え残り線香の掃除状態を示す斜視図
【図３】本発明の図１におけるＡ−Ａ線断面図
【発明を実施するための形態】
【０００７】  以下、本発明の一実施例の形態を説明する。
（イ）燃え残り線香（４）を挟むため、直径６ミリの掃除棒本体（１）の先端の周りに        、線香と同じ太さの直径２ミリの挟み棒（２）を、図３のように５本取付ける。
（ロ）挟み棒（２）の間隔は、線香の直径より少し広くしたので、燃え残り線香（４）        を挟む時、折れたり、潰れたりすることがない。
（ハ）燃え残り線香（４）は、図２に示したように、挟み棒（２）の２本と３本の間に        挟まれるので、５通りの挟み方ができ、燃え残り線香（４）を同時に複数挟むこ        とができる。
（ニ）例えば、挟み棒（２）の先端をガイドさせるために多少尖らせておくと、スムー        ズに燃え残り線香（４）を挟むことができる。
本発明は、以上の構成からなるので、これを使用するときは、灰（５）の中にある燃え残り線香（４）を掃除するため、図２のように、挟み棒（２）を突き刺し、挟み込んだら引き上げて、燃え残り線香（４）を手で取り除く。これを繰り返し、全ての燃え残り線香（４）を取り除くと、灰（５）の中に空気が混ざって、柔らかな灰（７）にする事ができる。
【符号の説明】
【０００８】  １  掃除棒本体
２  挟み棒
３  取付け部分
４  燃え残り線香
５  灰
６  線香立て
【図１】
2011136120.tif 000003
【図２】
2011136120.tif 000004
【図３】
2011136120.tif 000005
(57)【要約】      （修正有）【課題】マットレス（しき布団）には、背中、お尻等の重荷重部が当たり、短期間でくぼみが出来、安定したあんらく睡眠が出来なくなるのを防止したマットレスを提供する。【解決手段】マットレスを６個〜２０個に分割し、変形したマットレスの部位を、回転又は位置の変更によって、容易に変える事が出来る為に、変形したマットレスからの不快感を解消する事が出来るマットレスである。又、分割マットレスの詰め物を（綿、合成綿、水、空気、蓄熱剤）変える事により、いろんな用途のマットレスが出来る。マットレスを分割する事によって、くぼみになった部分を、回転又は位置変更により、くぼみが人体に当たらない部位に移動することが出来るマットレスを実現した。【選択図】図２
2011136117.tif 000002
【特許請求の範囲】
【請求項１】
マットレスの分割
マットレス（しき布団）が、人体の重量によって変形し、くぼみが出来寝心地が悪くなります。
マットレスを６個〜２０個に分割し、変形したマットレスの部位を、回転又は位置の変更によって、容易に変える事が出来る為に、変形したマットレスからの不快感を解消する事が出来るマットレスである。
分割したマットレスの固定方法としては、各ブロックにマジックテープを取付固定、又はマットレス全外周に強固な枠を作り、固定する。
【請求項２】
分割マットレスへの充填物の変更による多用途な使用
分割マットレスの詰め物を（綿、合成綿、水、空気、蓄熱剤）変える事により、いろんな用途のマットレスが出来る。
・綿        密度によって硬さの変更が可能（ブロックごとに変更可能）
・水        ウォーターベットとして、使用可能（ブロックごとに変更可能）
・空気      空気充填の為に、圧力調整が可能なり、人体接触部位の荷重の調整が可能（ブロックごとに変更可能）
・温蓄熱剤  保温又は温シップを行う
・冷蓄熱剤  冷却又は冷シップを行う
【発明の詳細な説明】
【技術分野】
【０００１】  本発明は、マットレス（しき布団）に関するものであり、睡眠中人の荷重によって、変形した、マットレスでは睡眠不足になってしまいます。たえず新品状態を、保つ為に、分割した、マットレスの位置を変更する事によって、最高状態を保つ事を可能にしたものである。
【背景技術】
【０００２】  従来の技術としては、背中、お尻の重荷重部には、耐荷重のある素材を使用したり、金属バネ等の、持続性のある反発素材を使用していました、人にとって一番あんらくで寝心地の良い素材は、反発力、吸湿性、保温性に優れた素材である綿です。しかし一定期間使用すると、くぼみが出来、変形してしまいます。
【発明の開示】
【発明が解決しようとする課題】
【０００３】  マットレス（しき布団）には、背中、お尻等の重荷重部が当たり、短期間でくぼみが出来、安定したあんらく睡眠が出来なくなり、マットレスの買換えといった、無駄が発生するという不都合を解決する事を課題とする。
【課題を解決するための手段】
【０００４】  この課題を解決するための請求項１の発明は、短期間でくぼみが出来、安定したあんらく睡眠が出来なくなる為、本発明は、マットレスを分割する事によって、くぼみになった部分を、回転又は位置変更により、たえずくぼみが人体に当たらない部位に移動することが出来るマットレスを実現した。【０００５】  又請求項２の発明は、外科手術等により背中にダメージがある場合、その部位が、直接マットレスに強く接触しない様に、分割マットレスの硬さを充填物の変更により、調整可能にしました。
又分割マットレスに蓄熱剤を充填して
・温蓄熱剤−−足先、腰、等温かくしたい部位の分割ブロックに充填し使用する。
・冷蓄熱剤−−冷シップ、等冷却したい部位の分割ブロックに充填し使用する。
【発明の効果】
【０００６】  本発明は、直接マットレスに、背中、お尻が当たって、くぼみが出来為に、安定したあんらく睡眠が出来なくなる、本発明は、マットレスを分割する事によって、くぼみになった分割マットレスを、回転又は位置変更により、たえずくぼみ部が人体に当たらない部位に移動することが出来るマットレスを実現した。
又、分割マットレスの詰め物を（綿、合成綿、水、空気、蓄熱剤）変える事により、いろんな用途のマットレスに作り変える事出来る。
・綿        密度によって硬さの変更が可能（ブロックごとに変更可能）
・水        ウォーターベットとして、使用可能（ブロックごとに変更可能）
・空気      空気充填の為に、圧力調整が可能なり、人体接触部位の荷重の調整が可能（ブロックごとに変更可能）
・温蓄熱剤  保温又は温シップを行う
・冷蓄熱剤  冷却又は冷シップを行う
【発明を実施するための最良の形態】
【０００７】  図１は、新品のマットレスで、斜線の部分が、くぼむ可能性がある部分です。【０００８】  図２は、一定の期間使用してくぼみが出来たマットレスで、後に分割マットレスを回転させて、くぼみ部分が人の、寝る位置とは関係のない位置変更した状態です。
【産業上の利用可能性】
【０００９】  本発明に係る分割マットレスは、工業的に量産する事が可能である為、産業上の利用可能性を有する。
【図面の簡単な説明】
【００１０】
【図１】  新品のマットレスで、くぼみがなく、人があんらく睡眠をしている状態
【図２】  一定期間使用したマットレスで、分割ブロックを回転してくぼみがなく、人があんらく睡眠をしている状態
【図３】  新品マットレスで分割ブロックが回転移動していない状態
【図４】  一定期間使用したマットレスで、分割ブロックを回転移動済みの状態
【符号の説明】
【００１１】１      新品のマットレスで、右お尻部のくぼみが発生する可能性ある分割ブロック部
２      新品のマットレスで、右腰部のくぼみが発生する可能性ある分割ブロック部
３      新品のマットレスで、左お尻部のくぼみが発生する可能性ある分割ブロック部
４      新品のマットレスで、左腰部のくぼみが発生する可能性ある分割ブロック部
１−１  一定期間使用したマットレスで、右お尻部にくぼみが発生し、分割ブロックを回転移動させて、くぼみをなくした状態
２−１  一定期間使用したマットレスで、右腰部にくぼみが発生し、分割ブロックを回転移動させて、くぼみをなくした状態
３−１  一定期間使用したマットレスで、左お尻部にくぼみが発生し、分割ブロックを回転移動させて、くぼみをなくした状態
４−１  一定期間使用したマットレスで、左腰部にくぼみが発生し、分割ブロックを回転移動させて、くぼみをなくした状態
５      新品のマットレスで、Ｃの位置関係を表す図面
６      新品のマットレスで、Ｄの位置関係を表す図面
７      新品のマットレスで、Ｈの位置関係を表す図面
８      新品のマットレスで、Ｉの位置関係を表す図面
５−１  分割ブロック部Ｃが１８０度回転した時の位置関係を表す図面
６−１  分割ブロック部Ｄが１８０度回転した時の位置関係を表す図面
７−１  分割ブロック部Ｈが１８０度回転した時の位置関係を表す図面
８−１  分割ブロック部Ｉが１８０度回転した時の位置関係を表す図面
【図１】
2011136117.tif 000003
【図２】
2011136117.tif 000004
【図３】
2011136117.tif 000005
【図４】
2011136117.tif 000006
(57)【要約】【課題】傘袋の紛失を防止し、濡れた傘の雨水で衣服や床を濡らすことなく傘の手提げ携行ができて且つ、傘を傘袋へ簡便に収納可能で  傘袋内に溜まった雨水の排出も容易な、手提げ傘袋収納容器付傘を提供する。【解決手段】傘の握り柄を開閉口のある中空容器とし、手提げ持ち手とふたを有する傘袋を傘とひもで連結し、容器内に傘袋を収納自在としたことを特徴とする手提げ傘袋収納容器付傘。【選択図】図６
2011136114.tif 000002
【特許請求の範囲】
【請求項１】
傘の握り柄を中空容器とし、中空容器内部で傘と傘袋裏面上部をひもなどで連結、傘袋表面上部には手提げ持ち手を装備し  傘袋下部にはふたを設けたことを特徴とする手提げ傘袋収納容器付傘。
【発明の詳細な説明】
【技術の分野】
【０００１】本発明は傘の握り柄の内部に  傘本体と連結された手提げ袋形の傘袋を収納する手提げ傘袋収納容器付傘に関するものである。
【背景技術】
【０００２】従来、傘の本体の一部に傘袋や小物を収納できる容器がついた傘があった。
【先行技術文献】
【０００３】
【特許文献１】実用新案公開平０６−０５２５２５号
【特許文献２】実用新案登録第３１１９９８０号
【発明の概要】
【発明が解決しようとする課題】
【０００４】そのために、次のような問題点があった。
（イ）折り畳み式傘の傘袋は紛失しやすい。
（ロ）濡れた傘に触れないと傘袋に収納できない。
【課題を解決するための手段】
【０００５】傘の握り柄を、開閉口を有する中空容器とする。
中空容器内側で傘と傘袋をひもで連結する。
傘袋は開口部に折り返し式のふたと手提げ持ち手を設ける。
以上を特徴とする手提げ傘袋収納容器付傘である。
【発明の効果】
【０００６】傘の握り柄の中空容器内に収納された傘袋を、雨水に濡れた傘に触らずに装着することができ、傘と傘袋をひもでつなぎ紛失を防止、また手提げ持ち手付で傘に付いた雨水を床や衣服に付けることなく携行ができ、さらに傘袋内に溜まった雨水の排出も容易で、便利である。
【図面の簡単な説明】
【０００７】
【図１】本発明の斜視図
【図２】本発明の一部斜視図
【図３】本発明の一部断面図
【図４】本発明の使用状態を示す斜視図
【図５】本発明の一部断面図
【図６】本発明の使用状態を示す斜視図
【図７】本発明の一部断面図
【図８】本発明の要部断面図
【発明を実施するための形態】
【０００８】以下、本発明の実施の形態について説明する。
（イ）シャフト（３）の下端に合成樹脂など弾力性のある球体状の中空容器（１）を設ける。
（ロ）容器（１）の一部に切り込みを設け、開閉部（２）とする。
（ハ）容器（１）の内側にひも（９）の一端を固定し他端を傘袋（５）の裏生地の上面と連結する。
（ニ）傘袋（５）は下方を開口部（７）とし、上方を閉じてなる長方形の封筒状であり、傘袋（５）の内部に傘（４）を収容できる大きさからなる。
（ホ）傘袋（５）の下面を開口部（７）とし、開口部（７）を覆うふた（８）を設ける。
（ヘ）傘袋（５）のふた（８）は、傘袋（５）の開口部（７）の一方の辺の外側のふちに沿って反転自在のポケット状に設ける。
開口部（７）にふた（８）をしたときは開口部（７）のふちの下方まで覆う。
（ト）傘袋（５）表生地の上面に持ち手（６）を設ける。
本発明は以上のような構成でなる。
傘（４）をささずに携行する場合は、次のようにする。
容器（１）の中に畳んで収納している傘袋（５）を開閉部（２）から引き出す。
傘袋（５）の裏表を反転させながら傘（４）を覆う。
傘袋（５）のふた（８）を反転させて開口部（７）を閉じる。
手提げ用の持ち手（６）で携行する。
また、傘袋（５）を容器（１）に収納して携行する場合、ふた（８）を反転させて、開口部（７）を開く。
傘袋（５）を反転させながら引き上げる。
傘袋（５）を折り畳み、開閉部（２）から容器（１）の中に収納する。
容器（１）は弾力性があり、傘袋（５）収納後、開閉部（２）は自然に閉じた状態となる。
【符号の説明】
【０００９】１容器
２開閉部
３シャフト
４傘
５傘袋
６持ち手
７開口部
８ふた
９ひも
【図１】
2011136114.tif 000003
【図２】
2011136114.tif 000004
【図３】
2011136114.tif 000005
【図４】
2011136114.tif 000006
【図５】
2011136114.tif 000007
【図６】
2011136114.tif 000008
【図７】
2011136114.tif 000009
【図８】
2011136114.tif 000010
(57)【要約】【課題】寝転び乍ら歩行同様の運動が出来、亦腹筋運動も案易に出来る全身運動具を提供する。【解決手段】巻付ベルト（２）に面着テープ（３）を接着した脛部緊縛帯（１）と把手（５）を伸縮可能の連繋索（４）にて連繋し、把手（５）を牽引して脛部を引き上げ、亦は上半身を引き起して、歩行同様運動や腹筋を案易に出来る運動具。【選択図】図１
2011136119.tif 000002
【特許請求の範囲】
【請求項１】
巻付ベルト（２）の適部に面着テープ（３）の雌雄片を接着して脛部上部を巻き締める脛部緊縛帯（１）とし、該脛部緊縛帯（１）の上部に１亦は２の連繋索（４）を取付け、該連繋索（４）の他端に把手（５）を取り付けてなる脚腰腕体操用の運動具。
【請求項２】
連繋索（４）の長さを伸縮調節具（６）にて調節出来る様にして、腹筋運動や諸種の運動にも利用出来る様にした請求項１記載の運動具
【発明の詳細な説明】
【技術分野】
【０００１】此発明は寝転び乍らや、腰かけ乍ら脚腰腕等全身の体操をする運動具である。
【背景技術】
【０００２】従来寝転び乍らや腰掛け乍ら歩行運動様の運動をする運動具は存在しなかった。
【発明の開示】
【発明の解決しようとする課題】
【０００３】寝転び乍らや、腰かけ乍ら万歩計が動く歩行様運動や、腹筋運動が案易に出来る様にする。
【課題を解決する為の手段】
【０００４】巻付ベルト（２）の適部に面着テープ（３）の雌雄を貼設した脛部緊縛帯（１）と、把手（５）を長さ調節可能の連繋索（４）にて連繋し、是を脛部上部に巻き付け、把手（５）を握り牽引して脚腰腕を居乍ら運動し、亦連繋索（４）の長さを調節して腹筋運動も安易になすもので（６）は連繋索（４）の伸縮調節具である。
【発明の効果】
【０００５】脛部緊縛帯（１）で巻き締めた脛を把手（５）を牽引して伸した脚、亦は屈折した脚を引付け亦は引き上げて体操し、寝転び乍ら、亦は腰かけて脚腰腕３部を同時に運動出来、亦腹筋の出来ない人も順次出来る様になり、出来る人は回数を増加出来る様になり、亦腰かけてテレビを見乍らでも万歩計も動く歩行同様の運動が出来、足腰の鍛練に役立つものである。
【実施例】
【０００６】脛部緊縛帯（１）で脛上部を巻き締め、把手（５）を牽引して、ベット上で、亦は腰掛けて、伸した脚、亦は屈曲した脚を引き上げ、解放を繰り返し脚腰腕３部分の運動をする、亦連繋索（４）を調節して腹筋運動もする。
【図面の簡単な説明】
【０００７】図１は本発明の展開平面図である。
【符号の発明】
【０００８】１  脛部緊縛帯
２  巻付ベルト
３  面着テープ
４  連繋索
５  把手
６  伸縮調節具
【図１】
2011136119.tif 000003
【手続補正書】
【提出日】平成22年3月23日(2010.3.23)
【手続補正１】
【補正対象書類名】明細書
【補正対象項目名】全文
【補正方法】変更
【補正の内容】
【発明の詳細な説明】
【技術分野】
【０００１】此発明はベット上で上向に寝転んだ状態で歩行同様の運動をし、亦腹筋をも案易にする運動具である。
【背景技術】
【０００２】従来寝転んだ状態で歩行同様の全身運動をする運動具は存在しなかった。
【発明の開示】
【発明の解決しようとする課題】
【０００３】病疾其他等でベットより離れられぬ人が、上向きで寝転んだ状態で歩行計を身に付け、是の働く歩行同様運動を行い、亦腹筋運動をやり易くする。
【課題を解決する為の手段】
【０００４】適当形状の巻付ベルト（２）の適部に面着テープ（３）の雌雄片を貼設した脛部緊縛帯（１）と、把手（５）を長さ調節可能の連繋索（４）にて連繋し、是を両脛上部に夫々締装着し、把手（５）を牽引して脚と腕を綱引状に交互に引き合い運動させる、亦連繋索（４）の長さを調節して腹筋運動をやり易くして行うのもで、（６）は連繋索（４）の巻込巻戻し型の伸縮調節具（７）は掛締金具である。
【発明の効果】
【０００５】病疾や、障害や、無気力等でベットより離れない人が上向きに寝た状態で手と脛部を綱引き様に強引に引き合い、身に付けた歩数計で回数を読み乍ら歩行同様の全身運動をするから、亦腹筋も案易に出来るから、ベットで寝たまま筋力を鍛え筋力体力劣化防止に役立つものである。
【実施例】
【０００６】脛部緊縛帯（１）で左右脛上部を強く巻き締め、把手（５）を牽引して脛部と手を綱引き様に強引に引合い歩行同様の運動をする、亦歩数計を身に付け目標歩数を習慣付け達成する、亦連繋索（４）の長さを調整して腹筋も軽力で行う。
【図面の簡単な説明】
【０００７】
【図１】は本発明の展開平面図である。
【符号の発明】
【０００８】１  脛部緊縛帯
２  巻付ベルト
３  面着テープ
４  連繋索
５  把手
６  伸縮調節具
７  掛締金具
【手続補正２】
【補正対象書類名】図面
【補正対象項目名】全図
【補正方法】変更
【補正の内容】
【図１】
2011136119.tif 000004
(57)【要約】      （修正有）【課題】ゴミ袋にゴミを入れる時間と労力が軽減できるチリ取りを提供する。【解決手段】ゴミ袋２の開口部をチリ取り３の滑り止溝に被せ、ゴムバンド又は何度でも取り付け、取り外しが可能な袋押さえバンド１を使用して滑り止溝に取り付けることにより、ゴミ袋２をチリ取り３に固着する。【選択図】図２
2011136124.tif 000002
【特許請求の範囲】
【請求項１】
ゴミ袋をチリ取に直に付けるようにした
【請求項２】
図１図２の（４）の溝を付る事で袋の外れないようにした
【請求項３】
ゴムバンドや接着バンドを使用し簡単に袋を取り付取外しが出来る
【発明の詳細な説明】
【技術分野】
【０００１】この発明は従来のチリ取りにゴミ袋を簡単に取り付取り外しの出来るようにした  チリ取り即ゴミ袋としたもの
【背景技術】
【０００２】従来では屋外等を掃除する場合チリ取りとホーキとゴミ袋をもって掃除に出る場合が多い
【発明の開示】
【発明が解決しようとする課題】
【０００３】これまでは次のような欠点があった
掃除をしてチリ取りからゴミ袋に入る場合ゴミ袋の口を１回いっかい開き大変であった
【課題を解決するための手段】
【０００４】チリ取り即ゴミ袋を利用する事により掃除をしてチリ取りに入れると同示にそのまんまゴミ袋に入れられる
【発明の効果】
【０００５】チリ取り即ゴミ袋を使用した事で掃除の時間短縮と楽に作業が出来るようになった
【発明を実施するための最良の形態】
【０００６】図（１）のバンドはゴムバンド又は何度でも取付取り外しの可能なものを使用
取付は（２）の袋を（４）の滑り止め溝から約１ｃｍ程出し次に（１）のバンドでしっかり取り付る
【図面の簡単な説明】
【０００７】
【図１】本発明分解斜視図である
【符号の説明】
【０００８】（図１図２）の（１）は袋押さえバンド  （２）ゴミ袋  （３）チリ取り  （４）滑り止溝  （５）取っ手
【図１】
2011136124.tif 000003
【図２】
2011136124.tif 000004
【手続補正書】
【提出日】平成22年6月22日(2010.6.22)
【手続補正１】
【補正対象書類名】明細書
【補正対象項目名】０００７
【補正方法】変更
【補正の内容】
【０００７】
【図１】は各部品（名称）を示した斜視図である。
【図２】は［図１］の各部品（名称）の組み立てを示した斜視図である。
【図３】は［図２］の使用時の説明を示した斜視図である。（８）指で押して（７）煉り状液製品が出てくるのを説明した斜視図である。
【図４】は［図２］の使用時の説明を示した斜視図である。［図３］の（８）指を押し事を止め袋から指を離すと、弾力性の無い（３）内チュウブ袋は押された状態で、弾力性のある（２）外チュウブ袋が戻り（１）空気逆止め弁から空気が入ってくる状態の斜視図である。
【手続補正２】
【補正対象書類名】図面
【補正対象項目名】全図
【補正方法】変更
【補正の内容】
【図１】
2011136124.tif 000005
【図２】
2011136124.tif 000006
【図３】
2011136124.tif 000007
【図４】
2011136124.tif 000008
(57)【要約】【課題】集合ロッカーの鍵等に付ける鍵札の既存のものはリングがごろごろして煩わしさがあった。これを解消したい。【解決手段】札にリングをたたんで納める切り込みを設け、ちょうど曲玉の様な形に加工する。更に、リングを楕円形に加工し組み合わせる。【選択図】図１
2011136123.tif 000002
【特許請求の範囲】
【請求項１】
様々な鍵に取り付ける札とリングの形を工夫する事により、嵩張って煩わしい感覚を解消せる鍵札（キーホルダー）であり、札は曲玉様、リングは楕円形を成す。
本案件は曲玉様に加工した札の部分と楕円形をしたリングの部分の組み合わせにより目的を達するが、キーホルダーとして供する物である為、鍵の保持が確実である事と鍵の着脱が容易である事も求められる。依って、「特徴ある二部品を組み合わせてキーホルダーを形成する事」と「楕円形を呈するリングの構造の詳細」の二点が考案の単一性を成すものと考え、双方を特許請求の範囲とするものである。
【発明の詳細な説明】
【技術分野】
【０００１】  本案件は、集合ロッカーの鍵や社用車のキー等に付ける鍵札に関するものであり、事務用品の分野に属する。
【発明の概要】
【発明が解決しようとする課題】
【０００２】  既存の鍵札は、札とリングとが直交起立し、ヒップポケットに入れた時等にごろごろとした煩わしさを感じざるを得なかった。これを解消する事が本案件の課題である。
【課題を解決するための手段】
【０００３】  札にリングをたたんで収納する切り込みを設け、楕円形に加工したリングを付ける。
【発明を実施するための形態】
【０００４】  リングには楕円形を呈している事以外に鍵の保持が確実で着脱が容易で有る事が求められる。その構造は次の如きものである。針金を二つ折りにして折り口に適度な丸みを設ける。この折り口を一端とし、他端は針金二本を揃えて切断する。
この二つ折りになった針金を、帯で環を造る如くに丸めて楕円形リングを形成する。
その際、切り口側にクランクを設け、切り口側を下に、折り口側を上に重ね、上嘴が下嘴に埋没せる体を与える。これはリングの嘴が、有らぬ所にひっかかってしまうのを防ぐ為である。
札には既存のものより長径を長くする必要が有る。鍵を装着し二つ折りにしてみると鍵が札より下位に来るからである。
【図面の簡単な説明】
【０００５】
【図１】全体の正面図および側面図。
【図２】楕円リング単体の拡大図。
【図３】鍵を装着し、二つ折りにした時の札と鍵の位置関係の図。
【図１】
2011136123.tif 000003
【図２】
2011136123.tif 000004
【図３】
2011136123.tif 000005
(57)【要約】      （修正有）【課題】従来コーヒ等の粉体はスプーンで使用するか調味粉体のように振りかけるかであり、スプーンを使用する煩雑さ、定量振りかからないという問題点があった。スプーンを使わず定量供給でき、粉末の鮮度維持が可能な容器を提供する。【解決手段】粉末容器４に流入案内板２ｃを差し込んで粉末容器４を倒立させ粉末を上部、下部開放された円筒形の筒状空間３ａを形成する回転体３の流入口２ａから流入させ粉末容器４を真横に傾けることで回転体３の一端に埋設された錘３ｄの重力による回転により９０°回転し排出口２ｂより粉末が排出される。これによりスプーンを使わず定量供給でき、また粉末容器４を元に戻すと回転体３がキャップ替りをするため粉末の鮮度維持が可能となる。【選択図】図２
2011136754.tif 000002
【特許請求の範囲】
【請求項１】
定量供給する筒状空間を錘の重力により回転する回転体と回転前位置において筒状空間と連通する流入口を設け、回転体を９０°回転させた位置において固定部側部に筒状空間と連通させる排出口を形成した粉体の定量供給器
【発明の詳細な説明】
【技術分野】
【０００１】  本発明は粉末等の定量供給器に関する
【背景技術】
【０００２】  従来、コーヒ等の粉末は供給するのにスプーンを利用したり調味料等は一定量振りかけることができなかったりまたキャップを開閉する煩わしさがあり、開閉する度に粉末が空気に触れ、鮮度が損われた。
【発明の開示】
【発明が解決しようとする課題】
【０００３】  以上に述べた従来の方法ではスプーンが必要で、定量供給できずキャップの開閉の度に粉末の鮮度が空気に触れ、維持できないものであった。【０００４】  本発明は方法が有していた問題を解決しようとするものであり粉末容器から定量に粉末を効果的に供給し、粉末の鮮度を維持することを目的にしたものである。
【課題を解決するための手段】
【０００５】  本発明は上記目的を達成するために流入口２ａと排出口２ｂを有する固定部２と外周面で開口する筒状空間３ａと端部に錘３ｄを有する回転体３で形成され錘３ｄの重力による回転により定量供給されるものである。
【発明の効果】
【０００６】  上述したように本発明は定量供給器は、スプーンを使わず、キャップの開閉を行なわず粉末を定量供給でき、粉末の鮮度を維持できる。
【発明を実施するための最良の形態】
【０００７】  以下、本発明の実施の形態を図１〜図４に基づいて説明する【０００８】  定量供給器１は流入口２ａと排出口２ｂを有する固定部２と円周上の２ｅ端開口する筒状空間３ａを有し固定部２に支持され回転可能な回転体３で形成されている。【０００９】  筒状空間３ａの円周上の開口部にストッパー３ｃを流入口２ａと排出口２ｂの端部に突起物を設け回転体３の回転角を９０°に制限している。【００１０】  回転体３の回転軸３ｂは軸受２ｆで軸承され回転体３に埋設された錘３ｄの回転力が粉末容器４を傾けることにより生じる。【００１１】  以下上記構成の動作を説明する、定量供給器１の流入案内板２ｃを粉末容器４に差し込み粉末容器４を倒立させ粉末コーヒ等を回転体３の筒状空間３ａに、流入させ充填し、粉末容器４を真横に傾けることにより回転体３を回転させ突起物２ｄをストッパー３ｃに当接させ筒状空間３ａを排出口２ｂに連通させ粉末を排出させる。【００１２】  また起立させた状態にすると定量供給器１がキャップ替わりになる
以上のように、本実施形態によれば粉末供給が効果的に行なわれるものである。
【図面の簡単な説明】
【００１３】
【図１】本発明の実施形態を示す定量供給器の外観図
【図２】同定量供給器に粉末流入図，図１におけるＡ−Ａ断面図
【図３】同定量供給器から粉末排出図，図１におけるＡ−Ａ断面図
【図４】同定量供給器図１におけるＢ−Ｂ断面図
【符号の説明】
【００１４】１    定量供給器
２    固定部
２ａ  流入口
２ｂ  排出口
２ｃ  流入案内板
２ｄ  突起物
２ｅ  円周上
２ｆ  軸受
３    回転体
３ａ  筒状空間
３ｂ  回転軸
３ｃ  ストッパー
３ｄ  錘
４    粉末容器
【図１】
2011136754.tif 000003
【図２】
2011136754.tif 000004
【図３】
2011136754.tif 000005
【図４】
2011136754.tif 000006
(57)【要約】      （修正有）【課題】夜間及び濃霧時に発見可能な、無期限に機能発揮できる救命胴衣を提供する。【解決手段】救命胴衣１は無機ＥＬファイバー２又は発光ダイオード６を貼りつけ、固定される。太陽光モジュール３を救命胴衣上部に貼りつける。電子回路装置及び遭難信号用発信装置は救命胴衣裏面下端側面に固定する。ＯＮ−ＯＦＦスイッチは電子回路装置と遭難信号用発信装置と連動している。昇圧回路、充放電回路、インバーター回路は電子回路装置の中に装着されている。【選択図】図１
2011136675.tif 000002
【特許請求の範囲】
【請求項１】
無機ＥＬファイバーが固定された救命胴衣
【請求項２】
発光ダイオード（ＬＥＤ）が固定された救命胴衣
【請求項３】
太陽光発電による充放電電池で駆動された無機ＥＬファイバー又は発光ダイオード（ＬＥＤ）が固定された救命胴衣
【請求項４】
太陽光発電による充放電電池で駆動された無機ＥＬファイバー又は発光ダイオード（ＬＥＤ）が固定された衣服
【請求項５】
太陽光発電による充放電電池で駆動された無機ＥＬファイバー又は発光ダイオード（ＬＥＤ）装置
【発明の詳細な説明】
【技術分野】
【０００１】本発明は太陽光発電よる電圧で駆動される発光ダイオード（ＬＥＤ）灯又は無機ＥＬファイバー灯及び無線による遭難信号を発信する装置によって夜間及び濃霧時に発見可能な救命胴衣に関するものである。
【背景技術】
【０００２】毎年、季節を問わず船舶の遭難事故が絶えない。その都度、人命を亡くしている。救命胴衣は義務づけられているが、殆どが着用されてない。そこで船舶職員及び小型船舶操縦士法施行規則の一部改正され、一人乗りの漁船でも救命胴衣の着用が義務化された。しかしながら、夜間の遭難の場合は救命胴衣を着用していても捜索が困難である。そこで本発明は救命胴衣が海上で浮揚した場合、自動的に救命胴衣を発光させ、なおかつ遭難信号を無線で発信させ、遭難者の位置を確認できることを目的としている。
【発明の開示】
【発明を解決しようとする課題】
【０００３】現在の救命胴衣は反射材が貼り付けられている。このことは光を反射材に照射されなければ光は反射されない。海で遭難者に光を照射することはとても困難である。また船舶には救命胴衣灯も装備されているが救命胴衣と離れて使用されているため、機能性に乏しい。さらに、電池方式は連続８時間点灯で認可されている。一昼夜は点灯しているが２昼夜目には消灯状態が予想される。そこで本発明は救命胴衣に発光機能を付与させ、電源は太陽光発電を利用して無期限に発光させる。さらに無線によって遭難信号を発信させることによって捜索者に遭難者の位置を確認させることが容易である。この装置の電源も太陽光発電を使用する。
【問題を觧決するための手段】
【０００４】本発明を達成するため、本発明に係る無機ＥＬファイバー灯、発光ダイオード（ＬＥＤ）灯及び自発的に発光機能を有する無機材料などを発光させる。これらの照明灯を駆動させる電源は太陽光発電を利用して日中は充電し、夜間は自動的に電圧を供給して、無機ＥＬファイバー灯又はＬＥＤ灯を発光させる。同時に充放電電池から遭難信号発信装置に駆動電圧が供給される。
【０００５】救命胴衣表面に適切な発光体として無機ＥＬファイバー又は発光ダイオード（ＬＥＤ）を線上又は面上に配列加工する。太陽光モジュールは太陽エネルギーを吸収できるように救命胴衣の上部に面上に配置する。充放電回路装置と遭難信号発信装置は同一ケース内にセットし、救命胴衣裏面下端側面に設置する。遭難信号発信用アンテナは海面上浮揚救命胴衣表面に設置する。
【０００６】太陽エネルギーを太陽光モジュールで吸収し、無機ＥＬファイバー灯及びＬＥＤ灯のドライバー電池を充電させる。同様に遭難信号発信用装置の電源用電池も充電させる。太陽光照度に応じて充放電電池がＯＮ−ＯＦＦになる。
【発明の効果】
【０００７】本発明は次のような利点がある。遭難者着用救命胴衣の発光により遭難位置が確認できる。遭難信号を無線で発信されるので濃霧でも遭難位置確認ができる。
太陽光発電により無機ＥＬファイバー灯及びＬＥＤ灯への電圧供給は無限に可能である。
【発明を実施するための最良の形態】
【０００８】図１の救命胴衣１は無機ＥＬファイバー２又は発光ダイオード６を図１の形状に貼りつけ、固定される。太陽光モジュール３を図１の救命胴衣上部に貼りつける。電子回路装置４及び遭難信号用発信装置７は図２の救命胴衣裏面下端側面に固定する。【０００９】ＯＮ−ＯＦＦスイッチ５は図２の電子回路装置４と遭難信号用発信装置７と連動している。昇圧回路、充放電回路、インバーター回路は図２の電子回路装置４の中に装着されている。【００１０】本発明の太陽光発電による救命胴衣は太陽エネルギーを利用するので電池切れなしで無機ＥＬファイバー灯及び発光ダイオード（ＬＥＤ）灯を発光させることが可能である。同時に無線で遭難信号を発信することも可能である。船舶に乗船する者が本発明救命胴衣を着用することにより、遭難時の早期救助が可能となる。
【産業上の利用可能】
【００１１】危険地域作業服、鉄道作業服、登山用ウエア、登山用ヘルメット、作業用ヘルメット、防犯防止用ランドセル
【図面の簡単な説明】
【００１２】
【図１】本発明に係わるＬＥＤ灯、無機ＥＬファイバー灯及び遭難信号用発信装置付救命胴衣正面図
【図２】本発明に係わるＬＥＤ灯、無機ＥＬファイバー灯及び遭難信号用発信装置付救命胴衣裏側側面図
【００１２】１救命胴衣
２無機ＥＬファイバー灯
３太陽光モジュール
４電子回路装置
５ＯＮ−ＯＦＦスイッチ
６発光ダイオード（ＬＥＤ）灯
７遭難信号用発信装置
【図１】
2011136675.tif 000003
【図２】
2011136675.tif 000004
(57)【要約】      （修正有）【課題】外刃と肌の間に、空気の負圧を掛けることにより、外刃と肌の接触圧を均等に高め、むらなく剃れるようにする。【解決手段】電動かみそりの筐体外部に空気吸引装置を設け、負圧伝達管を介して電動かみそりの内部である外刃の内側へ空気の負圧を伝達させる。外刃の外周には、負圧を保持する目的で圧力壁が設けられており、圧力壁の上面に肌を接触させると、肌は均等な負圧によって外刃へ吸引され、外刃の形状に合わせて密着する。このことにより外刃は全面で肌と密着し、効率よく体毛を剃る事が出来る。また、外刃と肌を密着させる圧力は、空気の吸引装置の吸引力により制御できるため、電気かみそりの設定で安定した剃りこみ深さを調節することができる。【選択図】図１
2011136097.tif 000002
【特許請求の範囲】
【請求項１】
電動かみそりに空気の負圧を利用し、肌への密着性を得る装置において、電動かみそり
の外部に空気の吸引装置を設け、負圧伝達管を介して電動かみそりの内部である外刃の内側へ空気の負圧を伝達させる機構。  
【請求項２】
電動かみそりに空気の負圧を利用し、肌への密着性を得る装置において、吸引装置の吸
引力を制御することにより、電気かみそりの剃りこみ深さを調整することができる機構。
【発明の詳細な説明】
【技術分野】
【０００１】
本発明は剃り残しが少ない電気かみそりに関するものである    
【先行技術文献】
【非特許文献】
【０００２】
【非特許文献１】特願２００９−２８４６０９
【発明の概要】
【発明が解決しようとする課題】
【０００３】
従来の電気かみそりでは、外刃に肌を押し付けることにより密着させていたため、身体の凹凸によって外刃は部分的に肌と密着し、体毛の剃り残しが発生している。
また、剃りこみ深さも肌へ押し付ける強さにより安定しない。
【課題を解決するための手段】
【０００４】
回転式または往復式の電動かみそりにおいて、筺体の外部より空気を吸引し、外刃の内側へ空気の負圧を発生させる装置を設ける。外刃の外周には、負圧を保持する目的で圧力壁が設けられており、圧力壁の上面に肌を接触させると、肌は均等な負圧によって外刃へ吸引され、外刃の形状に合わせて密着する。圧力壁は身体の凹凸に密着し、隙間を生じさせないために柔軟性を持つ材料である事が好ましい。このことにより外刃は全面で肌と密着し、効率よく体毛を剃る事が出来る。また、外刃と肌を密着させる圧力は、吸引装置の吸引力により制御できるため、電気かみそりの設定で安定した剃りこみ深さを調整することができる。
【０００５】
空気を吸引する装置と電動かみそりは柔軟性を持ちつつも、負圧を伝達する管でつながっている。空気の吸引装置を電動かみそりと別体にすることによって、電動かみそりを操作するうえで重過ぎ、または大き過ぎになることを避けている。
【発明を実施するための形態】
【実施例】
【０００６】
以下、図面を参照して本発明の好ましい実施形態について詳細に説明する。
図１は回転式の電気かみそりへ本発明を実施した断面図である。
図２は電気かみそり、外部負圧伝達管、空気の吸引装置の斜視図である。
図１に示されているように、外刃１は外刃ホルダー２に固定されている。圧力壁３も同様に外刃ホルダー２に固定されているが、取り外しや移動により、圧力壁としての機能を意図的に失効させる実施形態も想定が可能である。
【０００７】
内刃４は内刃ホルダー５に固定されている。内刃ホルダー５はブッシュ８を挟んで内刃駆動用モーター６に固定されている。空気の負圧を電動かみそりの内側に伝達する内部負圧伝達管１０は、筐体である下ケース１５に固定されており、外刃ホルダー２に開けられた穴より、外刃の内部へ負圧を伝える。
【０００８】
外刃ホルダー２は筐体である下ケース１５とねじ溝で組み合っている。内刃４、内刃ホルダー５、内刃駆動用モーター６、ブッシュ８は下ケース１５に固定されている。
【０００９】
図２に示されているように、内部負圧伝達管１０は、取り外しが可能な外部負圧伝達管１２を介して空気の吸引装置１８とつながっている。空気の吸引装置１８、もしくは外刃ホルダー２の内部には、毛くずを集めるために防塵用のフィルターを備えることが望ましい。このように空気の吸引装置１８より発生し、外部負圧伝達管１２を介して伝えられた負圧は外刃１より肌を吸い付けることになる。
【図面の簡単な説明】
【００１０】
【図１】本発明の好ましい実施形態である負圧機構が組み込まれた回転式の電気かみそりの断面図である。
【図２】電気かみそり、外部負圧伝達管、空気の吸引装置の斜視図である。
【符号の説明】
【００１１】
１：  外刃
２：  外刃ホルダー
３：  圧力壁
４：  内刃
５：  内刃ホルダー
６：  内刃駆動用モーター
８：  ブッシュ
１０：  内部負圧伝達管
１２：  外部負圧伝達管
１５：  下ケース
１８：  空気の吸引装置
【図１】
2011136097.tif 000003
【図２】
2011136097.tif 000004